(57)【要約】      （修正有）【課題】便検査における作業員の負担を減らすとともに高精度の便検査を短時間で効率良く行うことを可能にした採便容器および便検査装置を提供する。【解決手段】採便容器１０は、容器底側を構成する便支持容器部１２と、便支持容器部１２に上側から係合するとともに、該係合によって便検体が濾されるフィルター部を有する本体容器部Ｑと、を備える。便支持容器部１２は、便検体が入れられる凹状部１１を有している。【選択図】図１
2018059776.tif 000002
【特許請求の範囲】
【請求項１】
容器底側を構成し便検体が入れられる凹状部を有している便支持容器部と、
前記便支持容器部に上側から係合するとともに、該係合によって便検体が濾されるフィルター部を有する本体容器部と、
を備えることを特徴とする採便容器。
【請求項２】
前記本体容器部は、
前記フィルター部を有して前記便支持容器部と係合するフィルター機能付き容器部と、
前記フィルター機能付き容器部の上側に着脱自在に係合する蓋部と、
で構成されることを特徴とする請求項１に記載の採便容器。
【請求項３】
前記蓋部には、前記フィルター部で濾された前記便検体に検体棒先端部を到達させるための検体棒挿通用の孔部が形成されていることを特徴とする請求項２に記載の採便容器。
【請求項４】
前記フィルター機能付き容器部は、前記便支持容器部に上側から係合する外側容器部と、前記外側容器部の中空部に上側から挿入されて前記外側容器部に係合するとともに前記フィルター部が設けられた内側容器部とで構成され、
前記外側容器部と前記便支持容器部とは相対的に回転することで係合する構成にされ、
前記内側容器部は下方へ延び出す便検体用の撹拌部を有しており、前記内側容器部が回転することで前記撹拌部が回転する構成にされていることを特徴とする請求項２または３に記載の採便容器。
【請求項５】
前記フィルター機能付き容器部と前記便支持容器部とは相対的に回転することで係合する構成にされ、
前記フィルター機能付き容器部は、下方へ延び出す便検体用の撹拌部を有しており、前記フィルター機能付き容器部の回転に伴って前記撹拌部が回転する構成にされていることを特徴とする請求項２または３に記載の採便容器。
【請求項６】
前記蓋部は前記フィルター機能付き容器部に回動可能に係合し、
前記蓋部の内側には、下方に延び出す便検体用の撹拌部が設けられ、前記蓋部の回動に伴って前記撹拌部が回動する構成にされていることを特徴とする請求項２または３に記載の採便容器。
【請求項７】
請求項３に記載の採便容器に入れられた便検体を検査する便検査装置であって、
前記検体棒を着脱自在に保持する保持部と、
前記保持部を上下動させる駆動機構と、
を備えたことを特徴とする便検査装置。
【発明の詳細な説明】
【技術分野】
【０００１】
本発明は、便検体が入れられる採便容器、および、便検査装置に関する。
【背景技術】
【０００２】
被検者の大便を分析して異常の有無を検査する際、大便から採便することが次広く行われている（例えば、特許文献１）。その際、採便で得られた便検体の組成を均一にして分析することで検査精度を向上させることができる。このために、検査の前処理として、便検体中の未消化物である夾雑物を除去するとともに便検体を撹拌していることが多い（例えば、特許文献１参照）。
【０００３】
従来、この前処理では、便検体をへら等で撹拌させつつ、便検体に含まれている夾雑物を作業員が取り除くことが一般的である。その際、便検体の一部を採取してへら等で撹拌させつつ夾雑物を除去して電子天秤にかけ、規定量になるまで採取と天秤での秤量とを繰り返し行っている。
【先行技術文献】
【特許文献】
【０００４】
【特許文献１】特開2012-88186
【発明の概要】
【発明が解決しようとする課題】
【０００５】
しかし、便検体中の夾雑物の除去作業では、作業員が誤って便に触れてしまう可能性があり、また、便の悪臭で作業員が悩まされる。このため、作業員の負担が大きい。
【０００６】
また、夾雑物の組成は多岐にわたり様々であり、しかも便検体中に含まれる夾雑物の割合が多いほど手間がかかるため、夾雑物の除去作業に時間がかかる。そして、撹拌と夾雑物除去とを行った後の便が規定量に到達するまで上記の前処理の作業を行う必要があるため、作業効率が悪い。
【０００７】
また、採取された便検体の量が少ない場合、夾雑物から便をこそぎ落とす作業も必要になる上、前処理後の便検体に夾雑物が残る可能性も生じる。
【０００８】
そこで、本発明は、便検査における作業員の負担を減らすとともに高精度の便検査を短時間で効率良く行うことを可能にした採便容器および便検査装置を提供することを課題とする。
【課題を解決するための手段】
【０００９】
上記目的を達成するために、本発明に係る採便容器は、容器底側を構成し便検体が入れられる凹状部を有している便支持容器部と、前記便支持容器部に上側から係合するとともに、該係合によって便検体が濾されるフィルター部を有する本体容器部と、を備えることを特徴とする。
【００１０】
また、本発明に係る便検査装置は、容器底側を構成し便検体が入れられる凹状部を有している便支持容器部と、前記便支持容器部に上側から係合するとともに、該係合によって便検体が濾されるフィルター部を有する本体容器部と、を備え、前記本体容器部は、前記フィルター部を有して前記便支持容器部と係合するフィルター機能付き容器部と、前記フィルター機能付き容器部の上側に着脱自在に係合する蓋部と、で構成され、前記蓋部には、前記フィルター部で濾された前記便検体に検体棒先端部を到達させるための検体棒挿通用の孔部が形成されている採便容器に入れられた便検体を検査する便検査装置であって、前記検体棒を着脱自在に保持する保持部と、前記保持部を上下動させる駆動機構と、を備えたことを特徴とする。
【発明の効果】
【００１１】
本発明によれば、便検査における作業員の負担を減らすとともに高精度の便検査を短時間で効率良く行うことを可能にした採便容器および便検査装置を提供することができる。
【図面の簡単な説明】
【００１２】
【図１】（ａ）および（ｂ）は、それぞれ、第１実施形態の採便容器の斜視図、および、展開図である。
【図２】（ａ）および（ｂ）は、それぞれ、第１実施形態の採便容器の正面断面図、および、展開断面図である。
【図３】第１実施形態で、（ａ）はフィルター機能付き容器部を構成するフィルター部の平面図、（ｂ）はフィルター機能付き容器部で便検体を濾すことの説明図である。
【図４】第１実施形態で、（ａ）はフィルター部上に便検体が濾されることを説明する平面図、（ｂ）はフィルター機能付き容器部で便検体を濾すことの説明図である。
【図５】第１実施形態で、（ａ）はフィルター部上に便検体が濾されることを説明する平面図、（ｂ）はフィルター機能付き容器部で便検体を濾すことの説明図である。
【図６】第２実施形態の採便容器の展開斜視図である。
【図７】第２実施形態で、（ａ）は採便容器の正面断面図、（ｂ）は採便容器の展開断面図（（ｃ）のＡ−Ａ断面に相当）、（ｃ）は内側容器部における撹拌部を示すための要部下面図、（ｄ）は内側容器部におけるフィルター部を示すための要部平面図である。
【図８】第３実施形態で、（ａ）は採便容器の斜視図、（ｂ）は採便容器の展開斜視図である。
【図９】第３実施形態で、（ａ）は採便容器の断面図、（ｂ）は採便容器の展開断面図である。
【図１０】第３実施形態で検体棒の変形例を示す部分側面断面図である。
【図１１】第３実施形態で検体棒の変形例を示す斜視図である。
【図１２】第４実施形態で、（ａ）はフィルター機能付き容器部の背面斜視図、（ｂ）は採便容器の展開図である。
【図１３】第４実施形態で、（ａ）は採便容器の断面図、（ｂ）は採便容器の展開断面図である。
【図１４】第５実施形態で、（ａ）は採便容器の背面斜視図、（ｂ）は採便容器の展開図である。
【図１５】第６実施形態で、（ａ）は採便容器の斜視図、（ｂ）は採便容器の展開斜視図である。
【図１６】第６実施形態で、（ａ）は採便容器の断面図、（ｂ）は採便容器の展開断面図（（ｃ）のＢ−Ｂ断面に相当）、（ｃ）は内側容器部における撹拌部の配置位置を示すための要部平面断面図、（ｄ）は内側容器部におけるフィルター部を示すための要部平面図である。
【図１７】第６実施形態で、（ａ）は蓋部材の変形例を示す斜視図、（ｂ）は蓋部材の変形例を示す側面断面図である。
【図１８】第７実施形態で、（ａ）は採便容器の斜視図、（ｂ）は採便容器の展開斜視図である。
【図１９】第７実施形態で便検査装置を説明する模式的断面図である。
【発明を実施するための形態】
【００１３】
以下、添付図面を参照して、本発明の実施の形態について説明する。なお、第２実施形態以下では、既に説明した構成要素と同様のものには同じ符号を付してその説明を省略する。
【００１４】
［第１実施形態］
まず、第１実施形態を説明する。図１〜図５に示すように、本実施形態に係る採便容器１０は、容器底側を構成し便検体ＣＮ（図３参照）が入れられる凹状部１１を有している便支持容器部１２と、便支持容器部１２に上側から係合するとともに、該係合によって便検体が濾されるフィルター部Ｆを有する本体容器部Ｑとを備える。
【００１５】
本実施形態では、本体容器部Ｑは、このフィルター部Ｆを有して便支持容器部１２と係合するフィルター機能付き容器部１４と、フィルター機能付き容器部１４の上側に着脱自在に係合する蓋部材１６と、で構成される。
【００１６】
フィルター部Ｆは、該係合によって便検体を濾すことで、便検体中の夾雑物の通過を抑えつつ便検体ＣＮを通過させる。また、蓋部材１６は、開けられることによってフィルター部上の便検体がフィルター機能付き容器部１４から取り出し可能となるように配置されている。
【００１７】
本実施形態では、便支持容器部１２の上部から中部にかけて外周側に雄ねじＭＳが形成されている。そして、フィルター機能付き容器部１４は、円筒状であって濾された便検体ＣＦが円筒内側に出てくる中央円筒部１４ｍと、中央円筒部１４ｍの外壁から張り出して下方へ延びる外円筒部１４ｅとを有する。この外円筒部１４ｅの内周側には、雄ねじＭＳにねじ係合する雌ねじＦＳが形成されている。そして、フィルター部Ｆは中央円筒部１４ｍの下端部に設けられている。
【００１８】
また、フィルター機能付き容器部１４の中央円筒部１４ｍが凹状部１１との間に隙間を形成せずに凹状部１１内へ進入できるように、凹状部１１の内寸は、中央円筒部１４ｍの外寸に合わせて決められている。これを確実に行えるように、凹状部１１の側壁部１１ｅ上端は、内周端よりも外周端のほうが高い断面三角形状となっている。
【００１９】
フィルター部Ｆは、所定寸法以上の夾雑物を通過させないものであれば特に限定しないが、本実施形態ではメッシュ状である。メッシュ寸法は、例えば、一般家庭用の網戸よりも少し細かい程度の寸法である。この所定寸法は、意図する検査精度などにより予め設定された寸法である。
【００２０】
また、フィルター機能付き容器部１４の内面側であってフィルター部Ｆのすぐ上側には、フィルター部Ｆを通過した便検体ＣＦを均等に混ぜ易くするための凹凸部１４ｊが形成されている。本実施形態では、凹凸部１４ｊは、上下方向に細長く延びる凹部と凸部とが、内周に沿ってジグザグ状となるように配置された構成にされている。フィルター部Ｆを通過して凹凸部１４ｊに当接している便検体ＣＦ（図５参照）は、フィルター機能付き容器部１４の回転に伴うこの凹凸部１４ｊの回転によって捏ねられる。
【００２１】
また、蓋部材１６には、採便用ヘラ１７が蓋内側から下方へ延び出しており、採便用ヘラ１７はフィルター機能付き容器部１４の中空空間に位置している。そして蓋部材１６は、ワンタッチでフィルター機能付き容器部１４の上部に係合可能（装着可能）である。便支持容器部１２、フィルター機能付き容器部１４や蓋部材１６は、例えば樹脂成型で形成されている。
【００２２】
（作用、効果）
本実施形態で採便容器１０を用いて夾雑物除去済みの便検体を得るには、まず、蓋部材１６および便支持容器部１２をそれぞれフィルター機能付き容器部１４から取外し、採便用ヘラ１７で便検体ＣＮを採取して便支持容器部１２に入れる。そして、蓋部材１６をフィルター機能付き容器部１４に装着するとともにフィルター機能付き容器部１４の雄ねじＭＳを便支持容器部１２の雌ねじＦＳに当てて係合方向に回転させる。この回転によって、フィルター機能付き容器部１４の中央円筒部１４ｍが凹状部１１内へ進入し、フィルター部Ｆが便検体ＣＮを上方から押圧しつつフィルター部Ｆが凹状部内を下降する。
【００２３】
この結果、図３〜図５に示すように、フィルター部Ｆを通過できない寸法の夾雑物Ｋは、フィルター部Ｆの下側に残り、フィルター部Ｆを通過できる所定寸法未満の便検体がフィルター部Ｆ上に濾されて出てくる。
【００２４】
回転による係合が終了後、蓋部材１６を開き、フィルター部Ｆ上に出てきている夾雑物除去済みの便検体ＣＦを採取し、検査することで、高精度の便検査を行うことができる。
【００２５】
以上説明したように、本実施形態では、採便用ヘラ１７で便検体ＣＮを便支持容器部１２に入れ、フィルター機能付き容器部１４を便支持容器部１２に係合させることで、便検体ＣＮ中の夾雑物が除去された便検体ＣＦを得ることができる。従って、作業員が剥き出しの便検体をヘラ等で直接に撹拌させて取り除くような作業が不要となる。これにより、作業中に作業員に便が付着する可能性が大きく低減し、衛生的であり、便検査における作業員の負担が大きく低減される。しかも夾雑物除去済みの便検体ＣＦ、すなわち、高精度の便検査を行うことができる便検体ＣＦを短時間で容易に効率良く得ることができる。
【００２６】
また、蓋部材１６の採便用ヘラ１７で便検体ＣＮを採取後、直ちに蓋部材１６をフィルター機能付き容器部１４に装着させることができる。従って、従来に比べ、便の悪臭が作業環境に広がることを大幅に抑止できる。このことは、便検査における作業員の負担を更に大きく低減させることに寄与する。
【００２７】
なお、蓋部材１６では採便用ヘラ１７のない構成にして、一般的なヘラを用いて便検体ＣＮを採取してもよい。
【００２８】
また、蓋部材１６をなしにした採便容器１０にすることも可能である。これにより、蓋部材１６の着脱作業が不要になるので、作業をより短時間で行うことができる。
【００２９】
［第２実施形態］
次に、第２実施形態を説明する。図６、図７に示すように、本実施形態に係る採便容器２０は、第１実施形態に比べ、フィルター機能付き容器部１４に代えてフィルター機能付き容器部２４を備えており、また、蓋部材１６に代えて、ヘラが付いていない蓋部材２６を備えている。
【００３０】
フィルター機能付き容器部２４は、便支持容器部１２に上側から係合する外側容器部２３と、外側容器部２３の中空部２３ｓに上側から挿入されて外側容器部２３に対して回動可能に係合するとともにフィルター部Ｆを下部に有する内側容器部２５とを有する。外側容器部２３は、便支持容器部１２と相対的に回転することによって便支持容器部１２に係合する構成にされている。
【００３１】
内側容器部２５を構成する底板部２５ｂの中央には、検体棒を挿通可能にするための底板孔部２５ｈが形成されている。そして底板部２５ｂの下面側には膜部材Ｍが配置されており、膜部材Ｍのうち底板孔部２５ｈの下側は、膜厚を薄くして検体棒（図８等の検体棒Ｒを参照）で破られ易くした薄膜部Ｍｗにされている。
【００３２】
また、内側容器部２５は下方へ延び出す便検体用のへら状の撹拌部２５ｐを有しており、内側容器部２５が回転することで撹拌部２５ｐが回転する構成にされている。撹拌部２５ｐは膜部材Ｍを貫通している。
【００３３】
本実施形態では、撹拌部２５ｐは、２枚のへら状部２５ｐ１、２５ｐ２で構成されている。へら状部２５ｐ１、２５ｐ２は、内側容器部２５をＵ方向（図７参照）に回転させたときにへら状部２５ｐ１、２５ｐ２に当接した便検体に内側容器部２５中央側へ移動する力を与えることができる位置に配置されている。
【００３４】
また、本実施形態では、内側容器部２５の上部には、内側容器部２５を外側容器部２３に係合させたときには外側容器部２３の上側へ露出するつまみ部２５ｇが形成されている。使用者が片手で外側容器部２３を持ち、もう一方の片手でつまみ部２５ｇに指を当てて回動力を与えることで、外側容器部２３に対して内側容器部２５が回動し、撹拌部２５ｐで便検体ＣＦを撹拌できる構成になっている。
【００３５】
（作用、効果）
本実施形態で採便容器２０を用いて夾雑物除去済みの便検体を得るには、まず、専用のヘラ(図示せず)などを用いて便支持容器部１２に便検体を入れる。
【００３６】
そして、フィルター機能付き容器部２４（膜部材Ｍが配置された内側容器部２５と外側容器部２３とが予め係合したもの）を便支持容器部１２に当て、係合方向に回転させることで係合させていく。この回転によって、フィルター機能付き容器部２４の中央円筒部１４ｍが凹状部１１内へ進入し、フィルター部Ｆが便検体ＣＮを上方から押圧しつつフィルター部Ｆが凹状部内を下降して便検体ＣＮがフィルター部Ｆで濾されて通過する。この結果、フィルター部Ｆを通過できない寸法の夾雑物Ｋ（図３〜図５参照）は、フィルター部Ｆの下側に残り、フィルター部Ｆを通過できる所定寸法未満の便検体ＣＦがフィルター部Ｆ上に出てきて、フィルター部Ｆと膜部材Ｍとの間に溜まる。
【００３７】
また、この係合方向への回転によっても、フィルター部Ｆと膜部材Ｍとの間の便検体ＣＦが撹拌部２５ｐの回転によって捏ねられるが、本実施形態では、上記係合の完了後、つまみ部２５ｇに指を当て、外側容器部２３に対して内側容器部２５を回動（すなわち往復回転動）させる。これにより、フィルター部Ｆ上のこの便検体ＣＦは、第１実施形態に比べ、撹拌部２５ｐによって充分に捏ねられていることにより均一性が遥かに高い。
【００３８】
その後、蓋部材２６を開き、検体棒を内側容器部２５内へ上方から差し込んで、検体棒先端部を内側容器部２５の底板孔部２５ｈに到達させる。そして、薄膜部Ｍｗを検体棒先端部で押し破り、フィルター部Ｆ上の便検体ＣＦ（フィルター部Ｆと膜部材Ｍとの間に存在している便検体）に検体棒先端部を接触させ、検体棒先端部に便検体ＣＦを付着させる。なお、付着させる際、検体棒を回動させることで、検体棒先端部に付着する便検体量が不足することを回避し易い。
【００３９】
そして、検体棒を採便容器２０から引き出す。その際、薄膜部Ｍｗを検体棒先端部で押し破ったことによって形成された薄膜部孔から検体棒先端部を通過させるときに、検体棒先端部に付着し過ぎている便検体部分は孔周囲の膜部分によってこそぎ落とされる。従って、採便容器２０から取り出された検体棒では、便検体が付着し過ぎていることは充分に回避されている。
【００４０】
［第３実施形態］
次に、第３実施形態を説明する。図８、図９に示すように、本実施形態に係る採便容器３０は、第２実施形態に比べ、蓋部材の中央に検体棒挿通用の蓋孔部３６ｈが形成されている。そして、検体棒Ｒが蓋孔部３６ｈに差し込まれ、スペーサＳＰ１を介して差し込みが停止された状態（検体棒待機状態）にされている。なお、スペーサとしては検体棒Ｒへの着脱が容易であればよく、使用者が指で挟む薄厚の挟持部Ｇ１が形成されたスペーサＳＰ１であっても、厚い挟持部Ｇ２が形成されたスペーサＳＰ２であってもよい。
【００４１】
本実施形態で採便容器３０を用いて夾雑物除去済みの便検体を得るには、まず、第２実施形態と同様にして、便支持容器部１２に便検体を入れ、便支持容器部１２とフィルター機能付き容器部２４とを係合させる。この結果、第２実施形態と同様、フィルター部Ｆを通過できる所定寸法未満の便検体ＣＦがフィルター部Ｆ上に出ている。また、この便検体ＣＦは、撹拌部２５ｐによって捏ねられていることによって均一性が高い。
【００４２】
その後、スペーサＳＰ１を取外し、検体棒Ｒを上方から押圧する。この結果、検体棒先端部ＲＴが薄膜部Ｍｗを押し破り、フィルター部Ｆ上の便検体ＣＦ（膜部材Ｍと便支持容器部１２の凹状部１１との間に存在している便検体）に検体棒先端部が接触し、検体棒先端部に便検体ＣＦが付着する（検体棒最下端状態）。そして、第２実施形態と同様にして検体棒Ｒを採便容器３０から引き出す。
【００４３】
ここで、本実施形態では、上記の検体棒待機状態では検体棒先端部ＲＴが薄膜部Ｍｗのすぐ上側に位置し、上記の検体棒最下端状態では検体棒先端部ＲＴがフィルター部Ｆに到達しない位置となるように、スペーサＳＰ１の寸法が決められている。
【００４４】
本実施形態により、第２実施形態で奏される効果に加え、より短時間で効率的に便検査を行うことを可能にできるという効果が奏される。
【００４５】
また、検体棒先端部ＲＴの形状は、採便に都合の良い形状であればよく、図８に示すように検体棒Ｒの長手方向に沿った直線状凹部Ｄ１が配列された形状でもよいし、図１０に示すように螺旋状凹部Ｄ２が配列された形状でもよいし、図１１に示すように、中心軸まわりに互いに均等な配置位置となるように複数（図１１では３つ）の溝部Ｄ３が形成されていてもよい。ここで、図１１では、各溝部Ｄ３を、螺旋溝が検体棒長手方向に沿って配列された例として描いている。
【００４６】
なお、検体棒先端部ＲＴをこのような形状にすることにより、検体棒を採便容器３０から引き出す際、薄膜部Ｍｗを検体棒先端部で押し破ったことによって形成された薄膜部孔から検体棒先端部を通過させるときに、薄膜部孔の周囲の膜部分が凹部に食い込んで便検体を落とし過ぎてしまうという懸念は解消する。
【００４７】
［第４実施形態］
次に、第４実施形態を説明する。図１２、図１３に示すように、本実施形態に係る採便容器４０では、第１実施形態に比べ、フィルター機能付き容器部４４が便検体用の撹拌部４５をフィルター部Ｆの下側に備えている。本実施形態では、撹拌部４５がへら状部４５ｐ１、４５ｐ２で構成されている。
【００４８】
本実施形態で採便容器４０を用いて夾雑物除去済みの便検体を得るには、まず、専用のヘラ(図示せず)などを用いて便支持容器部１２に便検体を入れる。
【００４９】
そして、フィルター機能付き容器部４４を便支持容器部１２に当て、係合方向に回転させることで係合させていく。この回転によって、フィルター機能付き容器部４４の中央円筒部（下端部）が凹状部１１内へ進入し、フィルター部Ｆが便検体ＣＮを上方から押圧しつつフィルター部Ｆが凹状部内を下降するとともに、フィルター部Ｆと凹状部１１との間の便検体ＣＮが撹拌部４５の回転によって捏ねられる。
【００５０】
この結果、フィルター部Ｆを通過できない寸法の夾雑物Ｋ（図３〜図５参照）は、フィルター部Ｆの下側に残り、フィルター部Ｆを通過できる所定寸法未満の便検体ＣＦがフィルター部Ｆ上に濾されて出てくる。
【００５１】
本実施形態では、第１実施形態で奏される効果に加え、フィルター部Ｆ上のこの便検体ＣＦは、第１実施形態で奏される効果に加え、撹拌部４５によって捏ねられていることにより均一性が遥かに高いという効果も奏される。また、第２実施形態に比べ、部品点数が少なくて構成要素が簡素であるという効果も奏される。
【００５２】
［第５実施形態］
次に、第５実施形態を説明する。図１４に示すように、本実施形態に係る採便容器５０は、第１実施形態に比べ、蓋部材１６に代えて、便検体を撹拌する撹拌用ヘラ５２が蓋内側から下方へ延び出す蓋部材５６を有しており、撹拌用ヘラ５２はフィルター機能付き容器部１４の中空空間に位置している。そして、蓋部材５６が装着されたときにはフィルター部Ｆの直ぐ上に撹拌用ヘラ５２の先端部５２ｔ（下端部）が位置するように、撹拌用ヘラ５２の寸法が決められている。本実施形態では、先端部５２ｔはくし歯状にされており、また、蓋部材５６はフィルター機能付き容器部１４の上側に回動可能に係合している。
【００５３】
この構成により、蓋部材５６を回動させることにより、フィルター部Ｆで濾された便検体ＣＦが撹拌用ヘラ５２で捏ねられる。従って、第１実施形態で奏される効果に加え、簡単な構成で便検体ＣＦの均一性を一層高くすることができるという優れた効果が奏される。
【００５４】
［第６実施形態］
次に、第６実施形態を説明する。図１５、図１６に示すように、本実施形態に係る採便容器６０は、便検査装置（図示せず）にセットされて自動で便検査を行うための容器である。採便容器６０は、第３実施形態に比べ、蓋部材、膜部材、撹拌部の構成が異なっており、これに対応するために、外側容器部２３に代えて外側容器部６３を備え、内側容器部２５に代えて内側容器部６５を備えている。また、採便容器６０はスペーサや検体棒を備えていない。検体棒は便検査装置が予め多数備えており、採便容器毎に未使用の検体棒を順次使用するようになっている。
【００５５】
本実施形態では、採便容器６０を構成する蓋部材２６には検体棒挿通用の孔は形成されていない。採便容器６０を構成する膜部材Ｎの中央部では、検体棒先端部によって破られ易いように湾曲凹状部ＮＤが形成されて薄厚になっている。フィルター部Ｆの中央部では、メッシュは形成されずに平板部材で構成される円盤部ＦＲにされおり、便検体ＣＮはこの円盤部ＦＲでは通過しない。
【００５６】
内側容器部６５の底板部６５ｂから下方に延び出す撹拌部６７ｐは、へら状部６７ｐ１、６７ｐ２で構成され、何れも弾性材で構成されている。へら状部６７ｐ１、６７ｐ２は、内側容器部６５の底板部６５ｂから下方かつやや斜め外側へ向けて延び出している。また、へら状部６７ｐ１、６７ｐ２は、内側容器部６５をＵ方向（図１６参照）に回転させたときにへら状部６７ｐ１、６７ｐ２に当接した便検体に内側容器部６５中央側へ移動する力を与えることができる位置に配置されている。
【００５７】
また、本実施形態では、へら状部６７ｐ１、６７ｐ２は膜部材Ｎと一体的に形成されており、へら状部６７ｐ１、６７ｐ２および膜部材Ｎは何れもシリコンゴムで構成されている。そして、膜部材Ｎのうちの円盤部ＦＲの上方領域は、へら状部６７ｐ１、６７ｐ２の通過しない領域（非通過領域）になっている。
【００５８】
本実施形態により、便検体ＣＮを収容した採便容器６０を便検査装置にセットすると、便検査装置が蓋部材２６を取外して自動的に検体棒が降りてきて検体棒先端部が湾曲凹状部ＮＤを突き破る。そして、膜部材Ｎとフィルター部Ｆとの間の便検体ＣＦに検体棒先端部が触れ、検体棒先端部に付着した便検体ＣＦを検査することが可能になる。従って、便検査における作業員の負担を大きく減らすとともに高精度の便検査を短時間で効率良く行うことが可能になる。
【００５９】
また、へら状部６７ｐ１、６７ｐ２の通過しない領域、すなわち膜部材Ｎのうちの円盤部ＦＲの上方領域では、便検体が濾しだされない。従って、へら状部６７ｐ１、６７ｐ２で便検体ＣＦを全体にわたって効率良く捏ねる構成の採便容器６０とすることができる。
【００６０】
なお、蓋部材２６は、図１７に示すように、平面視でリング状の切欠部６４を中央部に備えていて、検体棒先端部で押圧（あるいは使用者が指等で押圧）されることで簡単に切欠部６４から破断して折れ曲がる（あるいは切欠部６４から切断される）蓋中央島部６６を有していてもよい。これにより、蓋部材２６を回転させて開けるという作業が不要になり、作業時間の短縮化、便検査装置の構造の簡素化、などの優れた効果が得られる。
【００６１】
［第７実施形態］
次に、第７実施形態を説明する。図１８、図１９に示すように、本実施形態に係る採便容器８０は、第６実施形態に比べ、第３実施形態で説明したスペーサＳＰ１（図８、図９参照）および検体棒Ｒを備え、蓋部材２６に検体棒挿通用の蓋孔部が形成されている例である。
【００６２】
本実施形態では、便検査装置９０で採便容器８０内の便検体を検査する。便検査装置９０は、検体棒を着脱自在に保持する保持部９２と、保持部９２を上下動させる駆動機構９４（ロードセル）とを備えており、採便容器８０に入れられた便検体を検査する構成にされている。
【００６３】
便検査装置９０で採便容器８０内の便検体を検査するには、作業員がスペーサＳＰ１を引き抜くことで取外し、採便容器８０を便検査装置９０の所定位置にセットする。なお、セットされた採便容器８０のスペーサＳＰ１を便検査装置９０が引き抜く構成にしてもよい。
【００６４】
便検査装置９０は、駆動機構９４により保持部９２を下降させて検体棒Ｒの頭部にまで到達させる。そして、検体棒Ｒを押し下げることで膜部材Ｎを押し破り、膜部材Ｎと凹状部との間に位置する便検体に検体棒先端部ＲＴを付着させる。その際、検体棒Ｒを９０°回転させ、更に、９０°反転させて回転前の回転方向位置に戻すことが好ましい。
【００６５】
そして、検体棒Ｒを上昇させて採便容器８０から引き出す。ここで、検体棒Ｒに付着した便検体量が規定量（例えば５０ｍｇ）未満であると判定された場合には、採便容器８０にもう一度入れて便検体を更に付着させることが好ましい。
【００６６】
その後、希釈工程（便検体の希釈）、試薬添加などの必要な工程を行った後、検査を終了する。
【００６７】
本実施形態により、便検査装置９０をより簡素な構成にすることが可能になる。また、検体棒Ｒを上下動させ、便検体ＣＦ（図５参照）の付着量が規定量になるまで便検体ＣＦを検体棒先端部に付着させることが可能になり、検査精度を向上させることができる。
【００６８】
以上、いくつかの実施形態を説明したが、これらの実施形態は発明の技術的思想を具体化するための例示であって、発明の範囲をそれらに限定することは意図していない。これらの実施形態は、構成部品の材質、形状、構造、配置等、要旨を逸脱しない範囲内で種々変更して実施できる。
【００６９】
例えば、本体容器部Ｑ（第１実施形態、図１参照）として、フィルター機能付き容器部と蓋部材とが樹脂成型等で一体的に形成された部材（なお、上部形状は平板に限らず、ドーム状等であってもよい）にした構成にすることもできる（第２〜第７実施形態でも同様）。
【００７０】
この場合、第３実施形態（図８〜図１１参照）、第７実施形態（図１８、図１９参照）のように蓋孔部３６ｈを形成しておく必要がある場合には、蓋孔部３６ｈに相当するものを本体容器部の上部に形成しておくことで検体棒Ｒが挿通できる。
【００７１】
またこの場合、第６実施形態の変形例（図１７参照）のように切欠部６４を形成して蓋中央島部６６を形成しておく必要がある場合には、切欠部６４および蓋中央島部６６に相当するものを本体容器部の上部に形成しておくことで検体棒Ｒが挿通可能となる。
【００７２】
またこの場合、第１実施形態（図１〜図５参照）、第２実施形態（図６、図７参照）、第４実施形態（図１２、図１３参照）、第５実施形態（図１４参照）、第６実施形態（図１５、図１６参照）のように蓋孔部を形成しない場合には、本体容器部の上部を簡単に除去することで夾雑物除去済みの便検体ＣＦを上側から採取できるように、例えば、本体容器部の側部に切欠き等による薄肉部を形成しておいてもよい。なお、このように本体容器部の上部を簡単に除去できる構成にする場合には、採便用ヘラ１７（図１参照）に相当するものは不要である。
【符号の説明】
【００７３】
１０  採便容器
１１  凹状部
１２  便支持容器部
１４  フィルター機能付き容器部
１６  蓋部材（蓋部）
２０  採便容器
２３  外側容器部
２４  フィルター機能付き容器部
２５  内側容器部
２６  蓋部材（蓋部）
２５ｐ  撹拌部
３０  採便容器
３６ｈ  蓋孔部（孔部）
４０  採便容器
４４  フィルター機能付き容器部
４５  撹拌部
５０  採便容器
５２  撹拌用ヘラ（撹拌部）
６０  採便容器
６３  外側容器部
６５  内側容器部
６７ｐ  撹拌部
８０  採便容器
９０  便検査装置
９２  保持部
９４  駆動機構
ＣＦ  便検体
ＣＮ  便検体
Ｆ  フィルター部
Ｋ  夾雑物
Ｑ  本体容器部
Ｒ  検体棒
ＲＴ  検体棒先端部
【図１】
2018059776.tif 000003
【図２】
2018059776.tif 000004
【図３】
2018059776.tif 000005
【図４】
2018059776.tif 000006
【図５】
2018059776.tif 000007
【図６】
2018059776.tif 000008
【図７】
2018059776.tif 000009
【図８】
2018059776.tif 000010
【図９】
2018059776.tif 000011
【図１０】
2018059776.tif 000012
【図１１】
2018059776.tif 000013
【図１２】
2018059776.tif 000014
【図１３】
2018059776.tif 000015
【図１４】
2018059776.tif 000016
【図１５】
2018059776.tif 000017
【図１６】
2018059776.tif 000018
【図１７】
2018059776.tif 000019
【図１８】
2018059776.tif 000020
【図１９】
2018059776.tif 000021